(57)【要約】【課題】微小な花の種子や細かくちぎった和紙をピンセットなどで挟むのは難しかしく、指先に力が入り大変な時間と技術を要していた。【解決手段】湿式吸着ペンの下部ホルダー（１）に湿式吸着チップ（３）を装着し、湿式吸着ペンの上部ホルダー（４）に水（５）を入れ、下部ホルダー（１）と組み立てる。湿式吸着ペンを上下に振り、湿式吸着ペンの下部ホルダー（１）の先端部へ供給された適量の水（２）は、下部ホルダー（１）に装着された湿式吸着チップ（３）の先端部を毛細管現象により適度に湿らせ、その先端部の湿り気により、微小な花の種子（８）などを簡単に連続して吸着できるようにした。湿式吸着ペンの下部ホルダー（１）に振動板（１０）を設け指先で軽く弾くことにより、微小な花の種子（８）などを簡単に落下させることができるようにした。【選択図】　　　　図２
2004122293.tif 000002
【特許請求の範囲】
【請求項１】
湿式吸着ペンの下部ホルダー（１）の先端部に適量の水（２）を入れ、下部ホルダー（１）に装着された湿式吸着チップ（３）の先端部を毛細管現象により適度に湿らせ、その先端部の湿り気により、お皿（７）に載せられた微小な花の種子（８）や、細かくちぎった和紙（９）などを簡単に連続して吸着できる湿式吸着チップ（３）を有することを特徴とする湿式吸着ペン。
【請求項２】
請求項１の湿式吸着ペンの上部ホルダー（４）に水（５）を入れ、下部ホルダー（１）と組み立て、垂直にしても水が自然に下部ホルダー（１）の先端部へ落ちないように、下部ホルダー（１）の内部に水落下防止用の仕切ノズル（６）を設け、湿式吸着ペンを上下に振ることにより、下部ホルダー（１）内の先端部へ適量の水（２）を供給できる仕切ノズル（６）を有することを特徴とする湿式吸着ペン。
【請求項３】
請求項１または２の湿式吸着ペンの下部ホルダー（１）の外側に、振動板（１０）を設け指先で軽く弾くと、その振動により湿式吸着チップ（３）の先端部に吸着していた微小な花の種子（８）などを、簡単に落下させることができる振動板（１０）を有することを特徴とする湿式吸着ペン。
【発明の詳細な説明】
【０００１】
【発明の属する技術分野】
湿式吸着ペンのホルダーに適量の水を入れ、毛細管現象により湿式吸着チップの先端部を湿らせ、その湿り気を利用して微小な種子や、細かくちぎった和紙などを連続して吸着することのできる湿式吸着ペンに関するものである。
【０００２】
【従来の技術】
従来の種蒔きは、お皿等に載せた沢山の微小な種子を、ピンセットなどで一粒づつ挟んでプラグポットなどに蒔いていた。微小な種子を一粒づつピンセット等で挟むのはとても難しく、指先に力を入れ続けなくてはならず大変な時間と技術を要していた。また、はり絵も、細くちぎった和紙をピンセットなどで一枚づつ挟んで貼っていたので手間がかかっていた。
従来の技術としては、「携帯式播種用種子吸着器」（公開番号　特開平９−１８７１１６）家庭用掃除機を利用して、ノズルの先端に種子を一粒づつ吸着してトレイなどに播種可能としたものがある。しかし、本発明とは大きく異なったものである。
【０００３】
【発明が解決しようとする課題】
微小な花の種子や細かくちぎった和紙をピンセットなどで挟むのは難しかしく、指先に力が入り大変な時間と技術を要していた。これらの課題を解決し誰でも簡単に作業できるように発明したものである。
【０００４】
【課題を解決するための手段】
湿式吸着ペンの下部ホルダー（１）の先端部に適量の水（２）を入れ、上部ホルダー（４）と組立ると、下部ホルダー（１）に装着された湿式吸着チップ（３）の先端部を毛細管現象により適度に湿らせ、その先端部の湿り気により、お皿（７）に載せられた微小な花の種子（８）や、細かくちぎった和紙（９）などを簡単に連続して吸着できるようにした。
次に、湿式吸着ペンの上部ホルダー（４）に水（５）を入れ、下部ホルダー（１）と組み立て、垂直にしても水が自然に下部ホルダー（１）の先端部へ落ちないように、下部ホルダー（１）の内部に水落下防止用の仕切ノズル（６）を設け、湿式吸着ペンを上下に振ることにより、下部ホルダー（１）内の先端部へ適量の水（２）を供給できるようにした。
湿式吸着ペンの下部ホルダー（１）に振動板（１０）を設け指先で軽く弾くことにより、その振動で湿式吸着チップ（３）の先端部に吸着した、微小な花の種子（８）などを簡単に落下させることができるようにした。
本発明は、以上の構成よりなる湿式吸着ペンである。
【０００５】
【発明の実施の形態】
本発明を図面にもとずいて説明する。２図のように、湿式吸着ペンの上部ホルダー（４）に水（５）を入れ、下部ホルダー（１）と組み立て、湿式吸着ペンを上下に振ることにより、上部ホルダー（４）の水（５）が、重力により下部ホルダー（１）の内部に設けた水落下防止用の仕切ノズル（６）を通過して、下部ホルダー（１）の先端部へと適量の水（２）が供給される。
湿式吸着ペンの下部ホルダー（１）の先端部に供給された適量の水（２）は、下部ホルダー（１）に装着された湿式吸着チップ（３）の先端部を毛細管現象により適度に湿らせる。湿式吸着チップ（３）の先端部の湿り気により、お皿（７）に載せた微小な花の種子（８）や、細かくちぎった和紙（９）などを簡単に連続して吸着し持ち上げ取り出すことができる。
湿式吸着ペンの下部ホルダー（１）に振動板（１０）を設け指先で軽く弾くと、その振動で湿式吸着チップ（３）の先端部に吸着し取り出した、微小な花の種子（８）などをプラグポットの所定の場所に簡単に落下させることができる。
【０００６】
【実施例】
（実施例−１）
本発明を図面にもとずいて説明する。２図のように、湿式吸着ペンの下部ホルダー（１）に湿式吸着チップ（３）を装着し、湿式吸着ペンの下部ホルダー（１）の先端部に適量の水（２）を入れ、上部ホルダー（４）と組み立てる。
下部ホルダー（１）に装着された湿式吸着チップ（３）の先端部を適量の水（２）が毛細管現象により適度に湿らせ、その先端部の湿り気により、お皿（７）に載せられた微小な花の種子（８）や、細かくちぎった和紙（９）などに押し当てると簡単に連続して吸着して持ち上げ取り出すことができる。
適量の水とは、０，１ＣＣ以下の水である。多すぎると自然に水滴が落下するが、０，１ＣＣ以下の水であれば湿式吸着ペンを垂直に１０分以上立てたままでも、湿式吸着チップ（３）の先端部から水滴の落下は認められなかった。
湿式吸着チップ（３）を装着し、一回分の水０，１ＣＣ以下の水の注水でパンジーの種６０個以上を連続して吸着し蒔くことができた。
湿式吸着チップ（３）の先端部の素材としては、竹や木、プラスチック繊維や吸液芯など毛細管現象で適量の水を連続して先端部へ供給できるものが良い。しかし、竹や木などは、吸着先端部以外の表面から水が滲むので装着部分と先端部分以外をコーティングをした。これにより水が滲むことなく湿式吸着チップ（３）として使用することができた。竹や木は先端部の形状や太さを自由に変更でき微小なパンジーの種子から米粒大までの大きさのものまで簡単に吸着し持ち上げることができた。また、竹や木の炭化した炭も強度的な問題はあるが吸着することができた。
プラスチック繊維では先端部が太くなりがちで、パンジーの種子を数粒吸着してしまうことがあったが、先端部をより鋭く加工することにより竹や木と同様の効果が得られた。
また、蚊の駆除用の吸液芯も吸着面が少し硬すぎるが、先端部を鋭く加工することにより微小な種子では竹や木と同様の効果が得られた。
【０００７】
（実施例−２）
下部ホルダー（１）に適量の水０，１ＣＣ以下の水を何度も入れるのは手間なので、上部ホルダー（４）に水（５）を入れ、下部ホルダー（１）の内部に水落下防止用の仕切ノズル（６）設け、湿式吸着ペンを上下に振ると、上部ホルダー（４）の水（５）が仕切ノズル（６）を通過して、下部ホルダー（１）の先端部へ適量の水（２）を供給できるようにした。
水落下防止用の仕切ノズル（４）の先端部の内径は１，５ｍｍ以下であれば上部ホルダー（４）の水（５）は、垂直にしても表面張力により自然落下しなかった。
【０００８】
（実施例−３）
湿式吸着ペンの湿式吸着チップ（３）の先端部に吸着した微小な花の種子（８）をプラグポットなどの個々の場所に運び、下部ホルダー（１）に設けられた振動板（１０）を指先で軽く弾くと、その振動板（１０）の振動により、湿式吸着チップ（３）の先端に吸着した微小な花の種子（８）を簡単に落下させ蒔くことができた。
パンジーなどの微小な花の種子（８）を吸着してプラグポットなどの個々の場所に運んで、土に湿式吸着チップ（３）の先端部を接触させて蒔くと、時々、土を吸着してしまうので、湿式吸着チップ（３）から微小な花の種子（８）を落下させる方法として指先で弾く振動板（１０）を設けた。
振動板（１０）は、プラスチック板を加工して下部ホルダー（１）に差し込んで固定した。振動板（１０）の指先が当たる部分を下部ホルダー（１）の外径に合わせて丸みをもたせ、表面に縦方向の筋をつけると弾く時の指先と振動板（１０）との摩擦を小さくしスムーズに指先を滑らすことができた。また、振動板（１０）の指先で弾く部分の端を少し外側に膨らませると指先が引っかかり摩擦が大きくなりより強く弾くことができ大きな振動を得ることができた。
振動板（１０）を下部ホルダー（１）と一体成形にすると、より大きな振動を得ることができる。
振動板（１０）は、プラスチック以外にも金属板やバネを加工して下部ホルダー（１）に差し込んでも、巻き付けて固定しても同様の効果が得られた。
パンジーの種子を計量してみると、微小で一粒２ｍｇと軽量だったが、本発明の湿式吸着ペンは簡単に連続して吸着し持ち上げて、振動板（１０）を弾いて落下させることができた。
【０００９】
【発明の効果】
そこで本発明は、下部ホルダー（１）に適量の水を入れ、水で湿式吸着チップ（３）の先端を湿らせ、その湿り気を利用して微小な種子（８）や、細かくちぎった和紙（９）などを連続して吸着することができ、ピンセットを使わずに種蒔きをしたり、貼り絵を簡単にすることができその使用効果は大きい。
湿式吸着ペンの、下部ホルダー（１）内に水落下防止用の仕切ノズル（６）を設け、湿式吸着ペンを上下に振ると、上部ホルダー（４）の水（５）が、重力により下部ホルダー（１）の先端部に適量の水（２）を連続して供給することができその使用効果は大きい。
湿式吸着ペンの、下部ホルダー（１）に設た振動板（１０）を指先で軽く弾けば、その振動板の振動により、湿式吸着チップ（３）の先端に吸着し持ち上げ取り出した微小な花の種子（８）も、簡単にプラグポットの所定の場所に落下させ蒔くことができその使用効果は大きい。
このように、微小な花の種子を蒔く時にピンセットなどを持って長い間指先に力をいれ一粒づつ挟む技術も必要なく簡単に種蒔きができ、時間の短縮が図れる。　湿式吸着チップ（３）の先端の形状や太さを変えることにより、微小な種子から米粒大までの種子も同様に吸着し蒔くことができ本考案の使用効果は大きい。
【００１０】
【図面の簡単な説明】
【図１】本発明の湿式吸着ペンの断面図
【図２】本発明の湿式吸着ペンの使用図
【符号の説明】
１　　下部ホルダー
２　　適量の水
３　　湿式吸着チップ
４　　上部ホルダー
５　　水
６　　仕切ノズル
７　　お皿
８　種子
９　　和紙
１０　　振動板
【図１】
2004122293.tif 000003
【図２】
2004122293.tif 000004